(57)【要約】【課題】左官作業等の専門的な作業によらずに容易にかつ確実にインバートを施工することを可能にし、インバートの施工作業の効率化を図る。【解決手段】マンホール５に接続された配管１２ａ、１２ｂに施工用具２０のゴム板２２の端部を挿入し、ゴム板２２の外面を配管１２ａ、１２ｂの内面にそわせるようにしてゴム板の外面の湾曲度を調節した状態で支持手段によりゴム板２２を保持し、インバートの平面配置、高さおよび勾配に合わせて、固定具３０によりマンホールに施工用具２０を固定した後、マンホール５の底部に、前記ゴム板２２の側面の中途高さ位置までコンクリート１４を打設し、コンクリート１４が固化した後、ゴム板２２をコンクリート１４から剥離し、施工用具２０を取り外す。【選択図】　　　　　図２
2004137740.tif 000002
【特許請求の範囲】
【請求項１】
マンホールの底部にコンクリートを打設してインバートを形成する際に使用するインバートの施工用具であって、
前記インバートの内面形状に合わせた外面形状に湾曲可能に、かつ前記マンホールに接続される配管位置に合わせてマンホール内を横切るように配置されるゴム板と、
外面が前記インバートの内面形状の曲面となるように前記ゴム板を湾曲させた状態で保形して支持する支持手段とを備えていることを特徴とするインバートの施工用具。
【請求項２】
前記支持手段が、ゴム板の両側縁部に取り付けられた支持具と、ゴム板の両側縁部の離間間隔を広狭可能に調節する係止具とを備えることを特徴とする請求項１記載のインバートの施工用具。
【請求項３】
請求項１または２記載のインバートの施工用具を用いてインバートを施工する方法であって、
マンホールに接続された配管に施工用具のゴム板の端部を挿入し、ゴム板の外面を配管の内面にそわせるようにしてゴム板の外面の湾曲度を調節した状態で支持手段によりゴム板を保持し、
インバートの平面配置、高さおよび勾配に合わせて、固定具によりマンホールに施工用具を固定した後、
マンホールの底部に、前記ゴム板の側面の中途高さ位置までコンクリートを打設し、
コンクリートが固化した後、ゴム板をコンクリートから剥離し、施工用具を取り外すことを特徴とするインバートの施工方法。
【発明の詳細な説明】
【０００１】
【発明の属する技術分野】
本発明はインバートの施工用具およびインバートの施工方法に関する。
【０００２】
【従来の技術】
下水道に使用するマンホールの底部にはインバートとよばれる水路が設けられ、マンホールに連結された配管の間で水を流すように形成されている。図７は、マンホール５の底部に設けたインバート１０の構造を示す側断面図、図８は正断面図である。図７で、１２ａ、１２ｂはマンホール５に接続されている配管であり、マンホール５の底部に設けられたインバート１０は配管１２ａ、１２ｂと同一勾配で、かつ各々の配管１２ａ、１２ｂの内面の曲率にならうようにして形成されている。
【０００３】
このインバート１０を施工する場合、通常はマンホール５の底部にコンクリート１４を打設し、マンホール５に連結されている配管１２ａ、１２ｂの内面の曲率と曲率が一致する水路となるように左官作業によって仕上げている。しかしながら、インバート１０の内面を配管１２ａ、１２ｂの内面の曲率に合わせた曲面に形成するには熟練した左官技術が必要であり、下水道工事作業において、インバート１０を施工する作業きわめて非効率な作業となっている。
本出願人はこのようなインバートを容易に施工する方法として、シリコーン樹脂等の弾性を備えた素材を用いて半円筒体を形成し、半円筒体をコンクリートの打設部位に埋めるようにしてインバートを施工する方法を提案した（特許文献１参照）。
【０００４】
【特許文献１】
特開２０００−１４４７７４号公報
【０００５】
【発明が解決しようとする課題】
しかしながら、弾性体を円筒体状に保持してインバートを施工する従来方法では、弾性体を半円筒体状とするため、リング状に形成した仕切り板の外周に弾性体を支持する構造としていたため、施工用具の構造が複雑になり、施工用具の製作に費用がかかることや、施工用具の使い勝手が必ずしも満足できるものではない、という問題があった。
【０００６】
そこで、本発明はこれらの課題を解決すべくなされたものであり、その目的とするところは、左官作業等の熟練した技術を用いることなく容易にインバートを施工することができるインバートの施工用具およびこれを用いたインバートの施工方法を提供するにある。
【０００７】
【課題を解決するための手段】
上記目的を達成するため、本発明は次の構成を備える。
すなわち、マンホールの底部にコンクリートを打設してインバートを形成する際に使用するインバートの施工用具であって、前記インバートの内面形状に合わせた外面形状に湾曲可能に、かつ前記マンホールに接続される配管位置に合わせてマンホール内を横切るように配置されるゴム板と、外面が前記インバートの内面形状の曲面となるように前記ゴム板を湾曲させた状態で保形して支持する支持手段とを備えていることを特徴とする。
また、前記支持手段が、ゴム板の両側縁部に取り付けられた支持具と、ゴム板の両側縁部の離間間隔を広狭可能に調節する係止具とを備えることを特徴とする。
【０００８】
また、前記インバートの施工用具を用いてインバートを施工する方法であって、マンホールに接続された配管に施工用具のゴム板の端部を挿入し、ゴム板の外面を配管の内面にそわせるようにしてゴム板の外面の湾曲度を調節した状態で支持手段によりゴム板を保持し、インバートの平面配置、高さおよび勾配に合わせて、固定具によりマンホールに施工用具を固定した後、マンホールの底部に、前記ゴム板の側面の中途高さ位置までコンクリートを打設し、コンクリートが固化した後、ゴム板をコンクリートから剥離し、施工用具を取り外すことを特徴とする。
【０００９】
【発明の実施の形態】
以下、本発明の好適な実施の形態を添付図面に基づいて詳細に説明する。
図１、２は、本発明に係るインバートの施工方法を示す説明図である。図１は、土中にコンクリートを打設して形成した基礎１６の上にマンホール５を設置した後、マンホール５の底部にインバート１０を施工するための施工用具２０を配置した状態、図２は、マンホール５の底部にコンクリート１４を打設した状態を示す。
【００１０】
本発明のインバートの施工方法では、平板状に形成したゴム板２２を半円筒状に湾曲させた状態で、マンホール５に連結されている配管１２ａ、１２ｂ内にゴム板２２の端部を挿入するようにして施工用具２０をセットし、施工用具２０を位置合わせした後、コンクリート１４を打設する。
図３に、施工用具２０を配管１２ａ、１２ｂに位置合わせして配置した状態の平面図を示す。施工用具２０のゴム板２２は自在に湾曲曲率を変えられるから、配管１２ａ、１２ｂにゴム板２２の端部２２ａ、２２ｂを挿入した状態で、配管１２ａ、１２ｂの内面にゴム板２２を沿わせるようにすることによって、ゴム板２２の曲率を配管１２ａ、１２ｂの曲率に合わせることができる。
【００１１】
マンホール５に接続される配管１２ａ、１２ｂは同径のものばかりとは限らないし、インバート１０によって連通させる配管の径寸法が異なる場合もある。曲率が自在に変えられるゴム板２２を使用する方法は、配管１２ａ、１２ｂの内面の曲率に一致させて施工用具２０を設置できる点で有効である。
また、とくにインバート１０の内面は、水が円滑に流れるようにするため、配管１２ａ、１２ｂの内面と連続的に形成されている必要がある。配管１２ａ、１２ｂにゴム板２２の端部２２ａ、２２ｂを挿入し、配管１２ａ、１２ｂの内面の曲率に合わせてゴム板２２を湾曲させると、配管１２ａ、１２ｂの内面とゴム板２２の外面とが完全に連続した曲面形状となり、インバート１０の内面が配管１２ａ、１２ｂの内面に連続して形成されるという利点がある。
【００１２】
図６に、湾曲可能に設けたゴム板２２を用いた施工用具２０の形成例を示す。図６（ａ）は、ゴム板２２を展開した状態を示す。２４ａ、２４ｂはゴム板２２の両側縁部に固定した支持具であり、２５はゴム板２２の幅方向の中央部に固定した支持具である。
図６（ｂ）は、ゴム板２２を湾曲させて支持した状態を示す。本実施形態ではゴム板２２を湾曲させて支持する支持手段として、支持具２４ａ、２４ｂの各々に、所定間隔で端部がそれぞれ対向する向きにボルト２６ａ、２６ｂを取り付け、ボルト２６ａ、２６ｂの先端間を一つの調節ナット２８に螺合させた係止具を設けている。ボルト２６ａ、２６ｂはネジの向きを逆向きとした（右ねじ、左ねじ）もので、調節ナット２８を一方向あるいは逆方向に回動させることによってゴム板２２の両側縁間の間隔が広狭となるように調節可能となっている。
【００１３】
なお、ゴム板２２を湾曲させて支持する係止具は、本実施形態のようなボルト２６ａ、２６ｂと調節ナット２８の組み合わせによるものに限るものではなく、たとえば支持具２４ａ、２４ｂ間に、両端部をＬ字形に曲げたフックを掛け渡し、支持具２４ａ、２４ｂに設けた挿通穴にフックを係止させるようにしてゴム板２２を湾曲させた状態で保持するといった方法も可能である。
【００１４】
図１は、ゴム板２２の端部を配管１２ａ、１２ｂに挿入し、ゴム板２２の外面を配管１２ａ、１２ｂの曲率に合わせ、固定具３０によって施工用具２０を支持した状態を示す。ゴム板２２を配管１２ａ、１２ｂの勾配に合わせ、固定具３０により、ゴム板２２の底面がマンホール５の底部から一定距離離間した状態で支持する。
この状態でマンホール５の底部にコンクリート１４を打設することによって、図２に示す状態になる。コンクリート１４は施工用具２０のゴム板２２の側面部分まで充填し、インバート１０の断面形状が半円形状になるようにする。
【００１５】
図４は、マンホール５の底部にコンクリート１４を打設した状態の正断面図である。ゴム板２２が半円筒状に湾曲されて支持されていること、ゴム板２２の側面の中途高さ位置までコンクリート１４が充填されていることを示す。
ゴム板２２の端部２２ａ、２２ｂを配管１２ａ、１２ｂに挿入するようにして施工用具２０を設置したことによって、マンホール５の底部にコンクリート１４を打設した際に、配管１２ａ、１２ｂにコンクリート１４が入り込むことを好適に防止することができる。
コンクリート１４の上面は、インバート１０に水を集めるようにするためインバート１０を形成した部位が若干低位となる傾斜面に形成されている。
【００１６】
コンクリート１４を打設した後、コンクリート１４が固化したら、ゴム板２２をコンクリート１４から剥離して、施工用具２０を取り外す。
ゴム板２２をコンクリート１４から剥離する際には、ゴム板２２の上端縁（両側縁部）の間隔を狭めるように、ゴム板２２を細く湾曲させるようにすることでコンクリート１４から容易に剥離することができる。配管１２ａ、１２ｂに挿入したゴム板２２の部分も、ゴム板２２を細く湾曲させることで簡単に引き抜くことができる。
このように柔軟性を有するゴム板２２を使用すれば、所要の湾曲面形状となるインバート１０を容易に形成することが可能であり、施工用具２０のセットおよび取り外しが容易に可能になるという利点がある。
また、外面が円滑面となるゴム板２２を使用することで、ゴム板２２を剥離した状態でインバート１０の内面が円滑面に仕上げられるという利点もある。
【００１７】
上記実施形態では、マンホール５内に直線的にインバート１０を形成する例を示したが、マンホール５には複数の水路を合流させる形式にインバートを形成する場合もある。図５は、曲線状に形成したインバートと直線状に形成したインバートとを組み合わせて設ける例を示す。曲線状にインバートを形成する場合も上述した実施形態と同様に、配管１２ａと１２ｃにゴム板２２の端部２２ａ、２２ｃを挿入し、配管１２ａ、１２ｃの内面形状にならってゴム板２２の湾曲曲率を調節し、ゴム板２２を曲線的に曲げて取り付けるようにすればよい。図のように、平面配置で曲線配置のインバートを設ける場合は、ゴム板２２の側縁を支持する支持具２４ａを曲線的に形成してゴム板２２を湾曲形状で支持するようにすればよい。
また、接続する配管の径寸法が異なる場合には、配管に接続する一端側と他端側での幅寸法が異なる台形状のゴム板２２を使用すればよい。
【００１８】
本実施形態のインバートの施工方法は、ゴム板２２の外面の曲面を配管の内面の曲面に合わせるように施工用具２０を設置してインバート１０を形成するから、配管の内面が施工用具２０を配置する際のガイドともなって施工用具２０を設置しやすくなるという利点と、配管の内面形状にゴム板２２を合わせるだけで自動的にインバートの内面形状を配管の内面形状に合わせることができ、施工用具２０を用いてインバートを形成する作業性が良好になるとともに、正確にインバートを形成することが可能になるという利点がある。
【００１９】
また、施工用具２０はゴム板２２を支持手段によって湾曲形状に支持する構成としたことによって施工用具２０の構成が簡易となり、施工用具２０を低コストで製造することが可能となる。マンホールに接続する配管径は、実際にはいくつかの径寸法の配管に限定されるし、マンホール内に形成するインバートの形状も個々に異なるが、ゴム板２２は柔軟性を有しているから、若干変形して使用することも可能であり、配管径寸法に合わせていくつかの種類の施工用具２０を用意することによって施工することができる。
【００２０】
上述したようにして、施工用具２０を用いてインバートを成形し、施工用具２０を外した後、仕上げのモルタル処理が必要になるような場合でも、インバートの主要部は形成されているから、特別に難しい仕上げ作業をする必要はない。
こうして、本発明に係る施工用具２０を使用すれば、専門的な左官技術等の特別な技術を要することなく、正確にかつ容易にインバートを施工することができ、インバートの施工作業の効率化を図ることが可能になる。
【００２１】
【発明の効果】
本発明に係るインバートの施工用具およびインバートの施工方法によれば、左官技能等の専門的な技術を使用することなく、容易にインバートを施工することができ、インバートの施工作業を効率的に行うことが可能になる。配管内にゴム板の端部を挿入して配管の内面にそわせるようにゴム板を湾曲させてマンホールに施工用具を取り付けるようにすることで、配管の内面の曲率とインバートの内面の曲率とが一致し、配管の内面とインバートの内面とが連続面に形成されたインバートを容易にかつ確実に形成することができる等の著効を奏する。
【図面の簡単な説明】
【図１】マンホールに施工用具をセットした状態の断面図である。
【図２】マンホールにコンクリートを打設した状態の断面図である。
【図３】マンホールに施工用具をセットした状態の平面図である。
【図４】コンクリートを打設した状態の正断面図である。
【図５】インバートの他の形成例を示す説明図である。
【図６】施工用具の構成例を示す説明図である。
【図７】マンホールにインバートが形成された状態の側断面図である。
【図８】マンホールにインバートが形成された状態の正断面図である。
【符号の説明】
５　マンホール
１０　インバート
１２ａ、１２ｂ、１２ｃ　配管
１４　コンクリート
１６　基礎
２０　施工用具
２２　ゴム板
２２ａ、２２ｂ、２２ｃ　端部
２４ａ、２４ｂ　支持具
２６ａ、２６ｂ　ボルト
２８　調節ナット
３０　固定具
【図１】
2004137740.tif 000003
【図２】
2004137740.tif 000004
【図３】
2004137740.tif 000005
【図４】
2004137740.tif 000006
【図５】
2004137740.tif 000007
【図６】
2004137740.tif 000008
【図７】
2004137740.tif 000009
【図８】
2004137740.tif 000010